(57)【要約】      （修正有）【課題】携帯電話機に２次元バーコードを読み取り、Ｗｅｂサーバをアクセスして得る擬似立体コンテンツを表示する。【解決手段】携帯電話機２０の撮像部により雑誌１１上のＱＲコード（登録商標）１２を撮像し、ＱＲコード（登録商標）１２をデコードしてＵＲＬを得、コンテンツＷｅｂサーバ４１にアクセスし、コンテンツＷｅｂサーバ４１が、ＵＲＬに登録されている擬似立体コンテンツファイル１００を携帯電話機２０にダウンロードし、擬似立体コンテンツファイル１００を表示する。携帯電話機２０の操作部により、フレーム画像群のうちのいずれか１つのフレーム画像を選択的に切替表示することにより、携帯電話機２０のパケット通信でも擬似立体コンテンツファイル１００を短時間でダウンロードすることができ、また、利用者が携帯電話機２０で容易にオブジェクトの回転操作を行うことができ、オブジェクトの全体像を立体的に見ることができる。【選択図】図１
2011022798.tif 000002
【特許請求の範囲】
【請求項１】
携帯電話機の撮像部により、２次元媒体上の２次元バーコードを撮像する工程と、
前記携帯電話機の制御部により、前記２次元バーコードをデコードしてインターネット上のリソースアドレスを得る工程と、
前記携帯電話機の制御部により、前記インターネット上のリソースアドレスに基づいてコンテンツＷｅｂサーバにアクセスする工程と、
前記コンテンツＷｅｂサーバが、前記インターネット上のリソースアドレスに登録されている擬似立体コンテンツファイルを前記携帯電話機にダウンロードする工程と、
前記携帯電話機の表示部により、前記擬似立体コンテンツファイルのフレーム画像群のうちのいずれか１つのフレーム画像を表示する工程と、
前記携帯電話機の操作部により、前記擬似立体コンテンツファイルのプログラムの制御の下に、前記擬似立体コンテンツファイルのフレーム画像群のうちのいずれか１つのフレーム画像を選択的に切替表示する工程と
を含むことを特徴とする擬似立体コンテンツ表示方法。
【請求項２】
前記フレーム画像群が、多段階の垂直方向角かつ多分割の水平方向角からオブジェクトを撮影した画像群からなる請求項１記載の擬似立体コンテンツ表示方法。
【請求項３】
前記フレーム画像群が、１段階の垂直方向角かつ多分割の水平方向角からオブジェクトを撮影した画像群と、前記画像群のそれぞれを拡大した第１拡大画像群と、前記第１拡大画像群のそれぞれをさらに拡大した第２拡大画像群とからなる請求項１記載の擬似立体コンテンツ表示方法。
【請求項４】
前記フレーム画像群が、１段階の垂直方向角かつ多分割の水平方向角からオブジェクトを撮影した画像群と、前記画像群とは異なるプレミアム画像からなるプレミアム画像群とからなり、プレミアム画像群を参照するためにパスワードの入力が必要であることを特徴とする請求項１ないし３のいずれか１項に記載の擬似立体コンテンツ表示方法。
【請求項５】
前記フレーム画像群の各フレーム画像の前面レイヤーに不透明のマスク画面が配置され、前記マスク画面を透明化する被照合用パスワードが設定されており、前記マスク画面が表示された状態で特定のキーを入力されたときに前記携帯電話機のメール作成プログラムが立ち上がって前記擬似立体コンテンツファイルに組み込まれている指定メールアドレスが設定された空メールを送信できる状態になり、空メールが送信されると、前記コンテンツＷｅｂサーバがパスワードを記載したメールを前記携帯電話機に自動的に返信する請求項１ないし４のいずれか１項に記載の擬似立体コンテンツ表示方法。
【請求項６】
前記２次元バーコードが、ＱＲコードである請求項１ないし５のいずれか１項に記載の擬似立体コンテンツ表示方法。
【請求項７】
前記インターネット上のリソースアドレスが、ＵＲＬである請求項１ないし６のいずれか１項に記載の擬似立体コンテンツ表示方法。
【請求項８】
インターネット上のリソースアドレスに登録され、オブジェクトを少なくとも多分割の水平方向角から撮影したフレーム画像群を格納する画像格納部、および前記フレーム画像群のうちの１つのフレーム画像を選択的に表示するプログラムを格納するプログラム格納部からなる擬似立体コンテンツファイルと、
前記インターネット上のリソースアドレスをコード化した２次元バーコードを表示する２次元媒体と、
前記２次元バーコードを撮像する携帯電話機の撮像部と、
前記２次元バーコードを前記インターネット上のリソースアドレスにデコードする携帯電話機の制御部と、
前記インターネット上のリソースアドレスに基づいてコンテンツＷｅｂサーバにアクセスする携帯電話機の無線制御部と、
前記インターネット上のリソースアドレスに登録されている擬似立体コンテンツファイルを前記携帯電話機にダウンロードする前記コンテンツＷｅｂサーバと、
前記擬似立体コンテンツファイルを表示し、前記携帯電話機の操作部により前記プログラムの制御の下に前記フレーム画像群のうちのいずれか１つのフレーム画像を選択的に切替表示する携帯電話機の表示部と
を備えることを特徴とする擬似立体コンテンツ表示システム。
【請求項９】
前記コンテンツＷｅｂサーバが前記インターネット上のリソースアドレスに登録されている擬似立体コンテンツファイルを前記携帯電話機にダウンロードしたことに基づいて、前記擬似立体コンテンツファイルのコンテンツ利用料金を通信費に加算するキャリアの契約者管理サーバをさらに備える請求項８に記載の擬似立体コンテンツ表示システム。
【請求項１０】
前記携帯電話機の表示部に前記フレーム画像群のうちのいずれか１つのフレーム画像が表示された状態から前記携帯電話機の操作部により決定操作が行われたときに、前記フレーム画像群に関連するオブジェクトを販売する電子商取引Ｗｅｂページを作成して前記携帯電話機に送信する電子商取引Ｗｅｂサーバをさらに備える請求項８に記載の擬似立体コンテンツ表示システム。
【請求項１１】
前記電子商取引Ｗｅｂサーバから前記電子商取引Ｗｅｂページが前記携帯電話機に送信されたときに、アフィリエイトアクセス数をカウントするアフィリエイトサーバをさらに備える請求項１０に記載の擬似立体コンテンツ表示システム。
【請求項１２】
前記アフィリエイトサーバが、前記電子商取引Ｗｅｂサーバから前記電子商取引Ｗｅｂページを通じて前記オブジェクトが購買された旨の通知があったときに、アフィリエイト購買数をカウントする請求項１１に記載の擬似立体コンテンツ表示システム。
【請求項１３】
前記２次元バーコードが、ＱＲコードである請求項８ないし１２のいずれか１項に記載の擬似立体コンテンツ表示システム。
【請求項１４】
前記インターネット上のリソースアドレスが、ＵＲＬである請求項８ないし１３のいずれか１項に記載の擬似立体コンテンツ表示システム。
【請求項１５】
前記フレーム画像群が、多段階の垂直方向角かつ多分割の水平方向角からオブジェクトを撮影した画像群からなる請求項８ないし１４のいずれか１項に記載の擬似立体コンテンツ表示システム。
【請求項１６】
前記フレーム画像群が、１段階の垂直方向角かつ多分割の水平方向角からオブジェクトを撮影した画像群と、前記画像群のそれぞれを拡大した第１拡大画像群と、前記第１拡大画像群のそれぞれをさらに拡大した第２拡大画像群とからなる請求項８ないし１５のいずれか１項に記載の擬似立体コンテンツ表示システム。
【請求項１７】
前記フレーム画像群が、１段階の垂直方向角かつ多分割の水平方向角からオブジェクトを撮影した画像群と、前記画像群とは異なるプレミアム画像からなるプレミアム画像群とからなり、プレミアム画像群を参照するためにパスワードの入力が必要であることを特徴とする請求項８ないし１６のいずれか１項に記載の擬似立体コンテンツ表示システム。
【請求項１８】
前記フレーム画像群の各フレーム画像の前面レイヤーに配置された不透明のマスク画面と、前記マスク画面を透明化するために前記擬似立体コンテンツファイルに設定された被照合用パスワードおよび指定メールアドレスと、前記マスク画面が表示された状態で前記携帯電話機の特定のキーを入力したときに立ち上がり前記擬似立体コンテンツファイルに組み込まれている指定メールアドレスが設定された空メールを送信できる状態にするメール作成プログラムと、前記空メールが送信されたときに前記被照合用パスワードを記載したメールを前記携帯電話機に返信するコンテンツＷｅｂサーバとを含む請求項１７記載の擬似立体コンテンツ表示システム。
【発明の詳細な説明】
【技術分野】
【０００１】
本発明は擬似立体コンテンツ表示方法および擬似立体コンテンツ表示システムに関し、より詳しくは２次元バーコードを利用してオブジェクト（目的物）の全体像を立体的に携帯電話機に表示させるための擬似立体コンテンツ表示方法および擬似立体コンテンツ表示システムに関する。
【背景技術】
【０００２】
近年、インターネットの爆発的な普及により、電子商取引サイトを通じて商品を購買するインターネットショッピングが一般的になってきている。インターネットショッピングでは、利用者は、商品等が掲載されている電子商取引サイトにアクセスし、商品の写真や仕様等を閲覧し、希望に見あう商品があれば、購買手続を行い、カード決済等で商品を購買する。そして、購買された商品は宅配便等で配送され、利用者の手元に届く。一連の決済手続や配送手続も最近では完備されてきているので、利用者は、自宅に居ながらにして容易に商品を購買することができる。
【０００３】
しかし、インターネットショッピングでは、電子商取引サイトで閲覧した際に想定していた商品と実際に利用者の手元に届いた購買商品との間にイメージの差があることがあり、利用者の購買商品に対する満足度が満たされない場合が生じることがしばしばある。
【０００４】
従来は、このようなイメージの相違を極力防止するために、例えば、３次元グラフィックス技術を使用して、電子商取引サイトの商品表示・販売システムを構築する場合があった（例えば、非特許文献１参照）。
【先行技術文献】
【非特許文献】
【０００５】
【非特許文献１】「３Ｄビジュアルシミュレーター」、[online]、株式会社ヤッパ、［平成２１年２月２日検索］、インターネット＜http://www.subaru.jp/forester/forester/exterior360/index3d.html＞
【発明の開示】
【発明が解決しようとする課題】
【０００６】
しかし、従来の３次元グラフィックス技術は、商品の全体像を立体的に見せることができるものの、電子商取引サイト側でシステム構成を準備および維持するために多額の資金や費用が必要になったり、３次元画像データの容量が大きいために３次元画像データが置かれるサーバやネットワークのトラフィックに負荷をかけてしまうという問題点があった。
【０００７】
特に、携帯電話機を端末として利用するインターネットショッピングでは、パケット通信であるので、３次元画像データ量が大きいと、ダウンロードに時間がかかるという問題点があった。また、携帯電話機の画像描画能力が十分ではなく、３次元画像データの描画に時間がかかるという問題点があった。
【０００８】
本発明の目的は、上述の点に鑑み、データ量が少なくパケット通信でも短時間でダウンロードできるとともに、画像描画能力が比較的低い携帯電話機でも、オブジェクト（目的物）の全体像を立体的に見せることができる擬似立体コンテンツ表示方法を提供することにある。
【０００９】
また、本発明の他の目的は、上記擬似立体コンテンツ表示方法を実現する擬似立体コンテンツ表示システムを提供することにある。
【課題を解決するための手段】
【００１０】
請求項１記載の擬似立体コンテンツ表示方法は、携帯電話機の撮像部により、２次元媒体上の２次元バーコードを撮像する工程と、前記携帯電話機の制御部により、２次元バーコードをデコードしてインターネット上のリソースアドレスを得る工程と、前記携帯電話機の制御部により、前記インターネット上のリソースアドレスに基づいてコンテンツＷｅｂサーバにアクセスする工程と、前記コンテンツＷｅｂサーバが、前記インターネット上のリソースアドレスに登録されている擬似立体コンテンツファイルを前記携帯電話機にダウンロードする工程と、前記携帯電話機の表示部により、前記擬似立体コンテンツファイルのフレーム画像群のうちのいずれか１つのフレーム画像を表示する工程と、前記携帯電話機の操作部により、前記擬似立体コンテンツファイルのプログラムの制御の下に、前記擬似立体コンテンツファイルのフレーム画像群のうちのいずれか１つのフレーム画像を選択的に切替表示する工程とを含むことを特徴とする。
【００１１】
請求項２記載の擬似立体コンテンツ表示方法は、請求項１記載の擬似立体コンテンツ表示方法において、前記フレーム画像群が、多段階の垂直方向角かつ多分割の水平方向角からオブジェクトを撮影した画像群からなることを特徴とする。
【００１２】
請求項３記載の擬似立体コンテンツ表示方法は、請求項１記載の擬似立体コンテンツ表示方法において、前記フレーム画像群が、１段階の垂直方向角かつ多分割の水平方向角からオブジェクトを撮影した画像群と、前記画像群のそれぞれを拡大した第１拡大画像群と、前記第１拡大画像群のそれぞれをさらに拡大した第２拡大画像群とからなることを特徴とする。
【００１３】
請求項４記載の擬似立体コンテンツ表示方法は、請求項１ないし３のいずれか１項に記載の擬似立体コンテンツ表示方法において、前記フレーム画像群が、１段階の垂直方向角かつ多分割の水平方向角からオブジェクトを撮影した画像群と、前記画像群とは異なるプレミアム画像からなるプレミアム画像群とからなり、前記プレミアム画像群を参照するためにパスワードの入力が必要であることを特徴とする。
【００１４】
請求項５記載の擬似立体コンテンツ表示方法は、請求項１ないし４のいずれか１項に擬似立体コンテンツ表示方法において、前記フレーム画像群の各フレーム画像の前面レイヤーに不透明のマスク画面が配置され、前記マスク画面を透明化する被照合用パスワードが設定されており、前記マスク画面が表示された状態で特定のキーを入力されたときに前記携帯電話機のメール作成プログラムが立ち上がって前記擬似立体コンテンツファイルに組み込まれている指定メールアドレスが設定された空メールを送信できる状態になり、空メールが送信されると、前記コンテンツＷｅｂサーバがパスワードを記載したメールを前記携帯電話機に自動的に返信することを特徴とする。
【００１５】
請求項６記載の擬似立体コンテンツ表示方法は、請求項１ないし５のいずれか１項に記載の擬似立体コンテンツ表示方法において、前記２次元バーコードが、ＱＲコードであることを特徴とする。
【００１６】
請求項７記載の擬似立体コンテンツ表示方法は、請求項１ないし６のいずれか１項に記載の擬似立体コンテンツ表示方法において、前記インターネット上のリソースアドレスが、ＵＲＬ（Ｕｎｉｆｏｒｍ  Ｒｅｓｏｕｒｃｅ  Ｌｏｃａｔｏｒ）であることを特徴とする。
【００１７】
請求項８記載の擬似立体コンテンツ表示システムは、インターネット上のリソースアドレスに登録され、オブジェクトを少なくとも多分割の水平方向角から撮影したフレーム画像群を格納する画像格納部、および前記フレーム画像群のうちの１つのフレーム画像を選択的に表示するプログラムを格納するプログラム格納部からなる擬似立体コンテンツファイルと、前記インターネット上のリソースアドレスをコード化した２次元バーコードを表示する２次元媒体と、前記２次元バーコードを撮像する携帯電話機の撮像部と、前記２次元バーコードを前記インターネット上のリソースアドレスにデコードする携帯電話機の制御部と、前記インターネット上のリソースアドレスに基づいてコンテンツＷｅｂサーバにアクセスする携帯電話機の無線制御部と、前記インターネット上のリソースアドレスに登録されている擬似立体コンテンツファイルを前記携帯電話機にダウンロードする前記コンテンツＷｅｂサーバと、前記擬似立体コンテンツファイルを表示し、前記携帯電話機の操作部により前記プログラムの制御の下に前記フレーム画像群のうちのいずれか１つのフレーム画像を選択的に切替表示する携帯電話機の表示部とを備えることを特徴とする。
【００１８】
請求項９記載の擬似立体コンテンツ表示システムは、請求項８記載の擬似立体コンテンツ表示システムにおいて、前記コンテンツＷｅｂサーバが前記インターネット上のリソースアドレスに登録されている擬似立体コンテンツファイルを前記携帯電話機にダウンロードしたことに基づいて前記擬似立体コンテンツファイルのコンテンツ利用料金を通信費に加算するキャリアの契約者管理サーバをさらに備えることを特徴とする。
【００１９】
請求項１０記載の擬似立体コンテンツ表示システムは、請求項８記載の擬似立体コンテンツ表示システムにおいて、前記携帯電話機の表示部に前記フレーム画像群のうちの１つのフレーム画像が表示された状態から前記携帯電話機の操作部により決定操作が行われたときに、前記フレーム画像群に関連するオブジェクトを販売する電子商取引Ｗｅｂページを作成して前記携帯電話機に送信する電子商取引Ｗｅｂサーバをさらに備えることを特徴とする。
【００２０】
請求項１１記載の擬似立体コンテンツ表示システムは、請求項１０記載の擬似立体コンテンツ表示システムにおいて、前記電子商取引Ｗｅｂサーバから前記擬似立体コンテンツ表示ファイルが前記携帯電話機に送信されたときに、アフィリエイトアクセス数をカウントするアフィリエイトサーバをさらに備えることを特徴とする。
【００２１】
請求項１２記載の擬似立体コンテンツ表示システムは、請求項１１記載の擬似立体コンテンツ表示システムにおいて、前記アフィリエイトサーバが、前記電子商取引Ｗｅｂサーバから前記擬似立体コンテンツ表示ファイルを通じて前記オブジェクトが購買された旨の通知があったときに、アフィリエイト購買数をカウントすることを特徴とする。
【００２２】
請求項１３記載の擬似立体コンテンツ表示システムは、請求項８ないし１２のいずれか１項に記載の擬似立体コンテンツ表示システムにおいて、前記２次元バーコードが、ＱＲコードであることを特徴とする。
【００２３】
請求項１４記載の擬似立体コンテンツ表示システムは、請求項８ないし１３のいずれか１項に記載の擬似立体コンテンツ表示システムにおいて、前記インターネット上のリソースアドレスが、ＵＲＬであることを特徴とする。
【００２４】
請求項１５記載の擬似立体コンテンツ表示システムは、請求項８ないし１４のいずれか１項に記載の擬似立体コンテンツ表示システムにおいて、前記フレーム画像群が、多段階の垂直方向角かつ多分割の水平方向角からオブジェクトを撮影した画像群からなることを特徴とする。
【００２５】
請求項１６記載の擬似立体コンテンツ表示システムは、請求項８ないし１５のいずれか１項に記載の擬似立体コンテンツ表示システムにおいて、前記フレーム画像群が、１段階の垂直方向角かつ多分割の水平方向角からオブジェクトを撮影した画像群と、前記画像群のそれぞれを拡大した第１拡大画像群と、前記第１拡大画像群のそれぞれをさらに拡大した第２拡大画像群とからなることを特徴とする。
【００２６】
請求項１７記載の擬似立体コンテンツ表示システムは、請求項８ないし１６のいずれか１項に記載の擬似立体コンテンツ表示システムにおいて、前記フレーム画像群が、１段階の垂直方向角かつ多分割の水平方向角からオブジェクトを撮影した画像群と、前記画像群とは異なるプレミアム画像からなるプレミアム画像群とからなり、プレミアム画像群を参照するためにパスワードの入力が必要であることを特徴とする。
【００２７】
請求項１８記載の擬似立体コンテンツ表示システムは、請求項１７記載の擬似立体コンテンツ表示システムにおいて、前記フレーム画像群の各フレーム画像の前面レイヤーに配置された不透明のマスク画面と、前記マスク画面を透明化するために前記擬似立体コンテンツファイルに設定された被照合用パスワードおよび指定メールアドレスと、前記マスク画面が表示された状態で前記携帯電話機の特定のキーを入力したときに立ち上がり前記擬似立体コンテンツファイルに組み込まれている指定メールアドレスが設定された状態で空メールを送信できる状態にするメール作成プログラムと、前記空メールが送信されたときに前記被照合用パスワードを記載したメールを前記携帯電話機に返信するコンテンツＷｅｂサーバとを含むことを特徴とする。
【発明の効果】
【００２８】
請求項１記載の擬似立体コンテンツ表示方法によれば、携帯電話機の撮像部により２次元媒体上の２次元バーコードを撮像する工程と、携帯電話機の制御部により２次元バーコードをデコードしてインターネット上のリソースアドレスを得る工程と、携帯電話機の制御部によりインターネット上のリソースアドレスに基づいてコンテンツＷｅｂサーバにアクセスする工程と、コンテンツＷｅｂサーバが、インターネット上のリソースアドレスに登録されている擬似立体コンテンツファイルを携帯電話機にダウンロードする工程と、携帯電話機の表示部により擬似立体コンテンツファイルを表示する工程と、携帯電話機の操作部により、プログラムの制御の下に、フレーム画像群のうちのいずれか１つのフレーム画像を選択的に切替表示する工程とを含むことにより、携帯電話機のパケット通信でも擬似立体コンテンツファイルを短時間でダウンロードすることができるという利点がある。また、利用者が携帯電話機で容易にオブジェクトの回転操作を行うことができ、オブジェクトの全体像を立体的に見ることができるという利点がある。これにより、利用者はあたかもオブジェクトを手に取って見ているかのような感覚を得ることができるという効果がある。
【００２９】
請求項２記載の擬似立体コンテンツ表示方法によれば、フレーム画像群が、多段階の垂直方向角かつ多分割の水平方向角からオブジェクトを撮影した画像群からなるので、利用者が携帯電話機で容易にオブジェクトの回転操作を行うことができ、オブジェクトの全体像を立体的に見ることができる。
【００３０】
請求項３記載の擬似立体コンテンツ表示方法によれば、フレーム画像群が、１段階の垂直方向角かつ多分割の水平方向角からオブジェクトを撮影した画像群と、画像群のそれぞれを拡大した第１拡大画像群と、第１拡大画像群のそれぞれをさらに拡大した第２拡大画像群とからなるので、利用者はオブジェクトを２段階に拡大して見ることができる。このため、利用者は、携帯電話機でもオブジェクトの気になる部分を拡大して詳細に確認することが可能である。
【００３１】
請求項４記載の擬似立体コンテンツ表示方法によれば、フレーム画像群が、１段階の垂直方向角かつ多分割の水平方向角からオブジェクトを撮影した画像群と、画像群とは異なるプレミアム画像からなるプレミアム画像群とからなり、プレミアム画像群を参照するためにパスワードの入力が必要であるので、パスワードの入力に応じて見ることができる画像を切り分けることができる。
【００３２】
請求項５記載の擬似立体コンテンツ表示方法によれば、フレーム画像群の各フレーム画像の前面レイヤーに不透明のマスク画面が配置され、マスク画面を透明化する被照合用パスワードおよび指定メールアドレスが設定されており、マスク画面が表示された状態で特定のキーを入力すると、携帯電話機のメール作成プログラムが立ち上がり、擬似立体コンテンツファイルに組み込まれている指定メールアドレスが設定された空メールを送信できる状態になり、空メールが送信されると、コンテンツＷｅｂサーバがパスワードを記載したメールを自動的に返信するので、パスワードの入手が容易に行えるという利点がある。
【００３３】
請求項６記載の擬似立体コンテンツ表示方法によれば、２次元バーコードがＱＲコードであるので、最も普及している２次元バーコードを汎用的に使用することができる。
【００３４】
請求項７記載の擬似立体コンテンツ表示方法によれば、インターネット上のリソースアドレスがＵＲＬであるので、最も普及しているインターネット上のリソースアドレスを汎用的に使用することができる。
【００３５】
請求項８記載の擬似立体コンテンツ表示システムによれば、インターネット上のリソースアドレスに登録され、オブジェクトを少なくとも多分割の水平方向角から撮影したフレーム画像群を格納する画像格納部、およびフレーム画像群のうちの１つのフレーム画像を選択的に表示するプログラムを格納するプログラム格納部からなる擬似立体コンテンツファイルと、インターネット上のリソースアドレスをコード化した２次元バーコードを表示する２次元媒体と、２次元バーコードを撮像する携帯電話機の撮像部と、２次元バーコードをインターネット上のリソースアドレスにデコードする携帯電話機の制御部と、インターネット上のリソースアドレスに基づいてコンテンツＷｅｂサーバにアクセスする携帯電話機の無線制御部と、インターネット上のリソースアドレスに登録されている擬似立体コンテンツファイルを携帯電話機に送信するコンテンツＷｅｂサーバと、擬似立体コンテンツファイルを表示し、携帯電話機の操作部によりプログラムの制御の下にフレーム画像群のうちのいずれか１つのフレーム画像を選択的に切替表示する携帯電話機の表示部とを備えるので、パケット通信を利用し、かつ画像描画能力の低い携帯電話機でも、オブジェクトの全体像を立体的に見ることができる。
【００３６】
請求項９記載の擬似立体コンテンツ表示システムによれば、コンテンツＷｅｂサーバがインターネット上のリソースアドレスに登録されている擬似立体コンテンツファイルを携帯電話機にダウンロードしたことに基づいて擬似立体コンテンツファイルのコンテンツ利用料金を通信費に加算するキャリアの契約者管理サーバをさらに備えるので、コンテンツの提供元はコンテンツ利用料金の徴収を容易に行うことができる。
【００３７】
請求項１０記載の擬似立体コンテンツ表示システムによれば、携帯電話機の表示部にフレーム画像群のうちの１つのフレーム画像が表示された状態から携帯電話機の操作部により決定操作が行われたときに、フレーム画像群に関連するオブジェクトを販売する電子商取引Ｗｅｂページを作成して携帯電話機に送信する電子商取引Ｗｅｂサーバをさらに備えるので、オブジェクトの擬似立体コンテンツファイルの表示状態から電子商取引サイトに直接リンクしてオブジェクトを購買することができる。
【００３８】
請求項１１記載の擬似立体コンテンツ表示システムによれば、電子商取引Ｗｅｂサーバから電子商取引Ｗｅｂページが携帯電話機にダウンロードされたときに、アフィリエイトアクセス数をカウントするアフィリエイトサーバをさらに備えるので、オブジェクトの雑誌への掲載効果を直接的に計測することができる。
【００３９】
請求項１２記載の擬似立体コンテンツ表示システムによれば、アフィリエイトサーバが、電子商取引Ｗｅｂサーバから電子商取引Ｗｅｂページを通じてオブジェクトが購買された旨の通知があったときに、アフィリエイト購買数をカウントするので、オブジェクトの雑誌での広告効果をアフィリエイトとして直接的に計測することができる。
【００４０】
請求項１３記載の擬似立体コンテンツ表示システムによれば、２次元バーコードがＱＲコードであるので、最も普及している２次元バーコードを汎用的に使用することができる。
【００４１】
請求項１４記載の擬似立体コンテンツ表示システムによれば、インターネット上のリソースアドレスがＵＲＬであるので、最も普及しているインターネット上のリソースアドレスを汎用的に使用することができる。
【００４２】
請求項１５記載の擬似立体コンテンツ表示システムによれば、フレーム画像群が多段階の垂直方向角かつ多分割の水平方向角からオブジェクトを撮影した画像群からなるので、オブジェクトの全体像を立体的に見ることができる。
【００４３】
請求項１６記載の擬似立体コンテンツ表示システムによれば、フレーム画像群が、１段階の垂直方向角かつ多分割の水平方向角からオブジェクトを撮影した画像群と、画像群のそれぞれを拡大した第１拡大画像群と、第１拡大画像群のそれぞれをさらに拡大した第２拡大画像群とからなるので、オブジェクトの全体像を立体的に簡単に拡大したり、縮小したりすることができる。
【００４４】
請求項１７記載の擬似立体コンテンツ表示システムは、フレーム画像群が１段階の垂直方向角かつ多分割の水平方向角からオブジェクトを撮影した画像群と、画像群とは異なるプレミアム画像からなるプレミアム画像群とからなり、プレミアム画像群を参照するためにパスワードの入力が必要であるようにしたので、パスワードの入力に応じて見ることができる画像を切り分けることができる。
【００４５】
請求項１８記載の擬似立体コンテンツ表示システムは、フレーム画像群の各フレーム画像の前面レイヤーに配置された不透明のマスク画面と、マスク画面を透明化するために擬似立体コンテンツファイルに設定された被照合用パスワードおよび指定メールアドレスと、マスク画面が表示された状態で携帯電話機の特定のキーを入力したときに立ち上がり擬似立体コンテンツファイルに組み込まれている指定メールアドレスが設定された空メールを送信できる状態にするメール作成プログラムと、空メールが送信されたときに被照合用パスワードを記載したメールを携帯電話機に返信するコンテンツＷｅｂサーバとを含むので、携帯電話機を通じてコンテンツＷｅｂサーバからパスワードを容易に取得することができる。
【図面の簡単な説明】
【００４６】
【図１】本発明の実施例１に係る擬似立体コンテンツ表示システムを示すシステム構成図である。
【図２】携帯電話機の一例を示す正面図である。
【図３】携帯電話機の電気的な構成を示す回路ブロック図である。
【図４】擬似立体コンテンツファイルを構成するフレーム画像の垂直方向角および水平方向角を説明する図である。
【図５】実施例１における擬似立体コンテンツファイルの内部構造を説明する図である。
【図６】図５の画像格納部に格納されるフレーム画像群の一例を示す図である。
【図７】実施例１に係る擬似立体コンテンツ表示方法の概要を示すフローチャートである。
【図８】図７中の擬似立体回転操作処理を示すフローチャートである。
【図９】図８中の水平画面左回転処理を示すフローチャートである。
【図１０】図８中の水平画面右回転処理を示すフローチャートである。
【図１１】図８中の表示画面切替処理を示すフローチャートである。
【図１２】本発明の実施例２に係る擬似立体コンテンツ表示システムを示すシステム構成図である。
【図１３】実施例２における擬似立体コンテンツファイルの内部構造を説明する図である。
【図１４】図１３中の画像格納部に格納されるフレーム画像群の一例を示す図である。
【図１５】マスク画面表示時の携帯電話機の画面遷移図である。
【図１６】実施例２に係る擬似立体コンテンツ表示方法の概要を示すフローチャートである。
【図１７】表示画面切替処理を示すフローチャートである。
【図１８】パスワード判定処理１の前半部を示すフローチャートである。
【図１９】パスワード判定処理１の後半部を示すフローチャートである。
【図２０】図１９中のパスワード判定処理２を示すフローチャートである。
【発明を実施するための形態】
【００４７】
以下、本発明の実施例について図面を参照しながら詳細に説明する。
【実施例１】
【００４８】
図１は、本発明の実施例１に係る擬似立体コンテンツ表示システムを示すシステム構成図である。本実施例１に係る擬似立体コンテンツ表示システムは、出版社１０と、出版社１０から出版された雑誌１１と、雑誌１１に印刷されたＱＲコード１２と、撮像部２１８（図３参照）を備える携帯電話機２０と、携帯電話機２０が接続される携帯電話網２１と、携帯電話網２１を管理する携帯電話網運営会社（以下、キャリアと略称する）が運営する携帯電話網管理システム３０と、携帯電話網２１に携帯電話網管理システム３０のゲートウェイサーバ３１を介して接続されたインターネット２２と、インターネット２２に接続されたコンテンツサーバシステム４０と、同じくインターネット２２に接続された電子商取引システム５０とから、その主要部が構成されている。
【００４９】
出版社１０は、雑誌１１を出版して利用者に販売あるいは配布する。特に、出版社１０は、コンテンツサーバシステム４０から付与された擬似立体コンテンツファイル１００のＵＲＬ（本発明のインターネット上のリソースアドレスに相当する）をコード化したＱＲコード１２を雑誌１１に印刷する。なお、ＱＲコード１２は、縦、横二方向に情報を持つことで、記録できる情報量を飛躍的に増加させた２次元バーコードの一種である。
【００５０】
雑誌１１には、多数の記事、広告等が掲載されており、記事、広告等の商品（本発明のオブジェクトに相当する）と関連して、例えば、後述するコンテンツデータベース４２に登録されている擬似立体コンテンツファイル１００のＵＲＬがコード化されたＱＲコード１２が印刷されている。なお、雑誌１１は、本発明における２次元媒体の一例であり、パンフレット、カタログ、ポスター、包装、商品表面、新聞、ホームページ等も、２次元媒体に該当する。したがって、２次元媒体は、平面ばかりでなく、曲面や球面も含む。
【００５１】
ＱＲコード１２は、公知の２次元バーコードであり、多くの携帯電話機２０は、撮像部２１８によってＱＲコード１２を撮像して、コード化されているＵＲＬをデコードし、デコードされたＵＲＬにアクセスする機能を備えている。ＱＲコード１２は、位置決めシンボルを含んで構成されており、その位置決めシンボルの位置に基づいてＱＲコード１２にコード化されている文字列がデコードされるようになっている。本実施例１では、コンテンツデータベース４２に登録されている擬似立体コンテンツファイル１００のＵＲＬを示す文字列がＱＲコード１２としてコード化されている。なお、ＱＲコード自体は、公知のものであるので、その詳細な説明は省略する（例えば、特開２００２−１１１９０９等を参照）。
【００５２】
携帯電話機２０は、公知のＷｅｂブラウザ（図示せず）を搭載しており、携帯電話網２１を介してインターネット２２上の任意のＷｅｂサーバにアクセス可能に構成されている。また、携帯電話機２０は、撮像部２１８（図３参照）を備えており、ＱＲコード１２を撮像し、ＱＲコード１２にコード化されているＵＲＬをデコードして、当該ＵＲＬにアクセスする機能を備えている。
【００５３】
図２は、携帯電話機２０の外観を例示する正面図である。携帯電話機２０は、筐体２１３と、複数の操作キーからなる操作部２１４と、マイク２１５と、液晶表示部材等からなる表示部２１６と、スピーカ２１７と、撮像部２１８（図３参照）とを有して構成されている。
【００５４】
操作部２１４には、発呼キー、終話キー、カメラキー、メールキー、電源キー、モードキー、決定キー、クリアキー、数字キー「０」〜「９」、数字キー「＊」、数字キー「＃」などが設けられている。
【００５５】
図３は、携帯電話機２０の電気的構成を示す回路ブロック図である。携帯電話機２０は、操作部２１４と、マイク２１５と、表示部２１６と、スピーカ２１７と、撮像部２１８と、ロッドアンテナ２１９と、充電池２２０と、充電端子２２１と、充電部２２２と、ＣＰＵ（Ｃｅｎｔｒａｌ  Ｐｒｏｃｅｓｓｉｎｇ  Ｕｎｉｔ）２２３と、ＲＯＭ（Ｒｅａｄ  Ｏｎｌｙ  Ｍｅｍｏｒｙ）２２４と、ＲＡＭ（Ｒａｎｄｏｍ  Ａｃｃｅｓｓ  Ｍｅｍｏｒｙ）２２５と、発音体２２６と、音声制御部２２７と、無線制御部２２８と、外部信号端子２２９と、外部インターフェース（ＩＦ）部２３０とを含んで構成されている。
【００５６】
ＣＰＵ２２３は、操作部２１４に対する操作に応じてＲＯＭ２２４またはＲＡＭ２２５に記憶されたプログラムに基づいて動作するようになっており、必要に応じて表示部２１６に所定の文字を表示したり、ワークデータをＲＡＭ２２５に記憶したり、発音体２２６を所定タイミングで鳴動したりする。マイク２１５から入力された音声信号は、音声制御部２２７において音声データに変換される。音声制御部２２７において変換された音声データは、無線制御部２２８において変調されてロッドアンテナ２１９から電波信号として送信される。
【００５７】
一方、ロッドアンテナ２１９により受信された電波信号は、無線制御部２２８において復調等が施されてから、音声制御部２２７において音声信号に変換されて、スピーカ２１７から音声として出力される。これらの音声制御部２２７および無線制御部２２８は、ＣＰＵ２２３からの指令に応じて動作するようになっている。
【００５８】
ＣＰＵ２２３は、携帯電話機２０に設けられた撮像部２１８が撮影した画像をモードに応じて処理するようになっている。詳しくは、撮像部２１８は、写真撮影モードまたは接写撮影モードが設定されるようになっており、操作部２１４のモードキーを操作することによりモードを選択設定できるようになっている。
【００５９】
携帯電話機２０によってＱＲコード１２を撮像したい場合には、操作部２１４のモードキーにより接写撮影モードを選択設定した状態で、操作部２１４の決定キーを押圧操作（入力）する。この場合、撮像部２１８によりＱＲコード１２が撮影されたときは、撮影されたＱＲコード１２の画像データがＣＰＵ２２３に与えられ、ＣＰＵ２２３は、ＱＲコード１２の画像データが与えられたときは、ＱＲコード１２にコード化されているＵＲＬをデコードし、デコードされたＵＲＬを表示部２１６に表示するとともにＲＡＭ２２５に記憶するようになっている。携帯電話機２０は、Ｗｅｂブラウザを起動させることにより、携帯電話機２０からインターネット２２に接続されているコンテンツデータベース４２にアクセスして擬似立体コンテンツファイル１００をダウンロードする。
【００６０】
図１に戻って、携帯電話網２１は、携帯電話網管理システム３０のゲートウェイサーバ３１を介してインターネット２２と接続されており、携帯電話機２０は、携帯電話網２１およびゲートウェイサーバ３１を介してインターネット２２上の任意のＷｅｂサーバにアクセス可能に構成されている。本実施例１では、コンテンツＷｅｂサーバ４１および電子商取引Ｗｅｂサーバ５１にアクセス可能となっている。
【００６１】
携帯電話網管理システム３０は、携帯電話網２１とインターネット２２とを接続するゲートウェイサーバ３１と、携帯電話機２０の契約者情報を管理する契約者管理サーバ３２と、携帯電話機２０の通話記録等を記録する契約者データベース３３とを含んで構成されている。なお、携帯電話網管理システム３０自体は、公知のものであり、かつ本発明とは直接関係しないので、その詳しい説明を省略する。
【００６２】
コンテンツサーバシステム４０は、コンテンツＷｅｂサーバ４１と、コンテンツデータベース４２とを含んで構成されている。コンテンツサーバシステム４０は、出版社１０からコンテンツデータベース４２に擬似立体コンテンツファイル１００が登録されたときは、擬似立体コンテンツファイル１００に固有のＵＲＬを付与して、そのＵＲＬを出版社１０に通知する。
【００６３】
コンテンツデータベース４２には、出版社１０により、擬似立体コンテンツファイル１００が登録される。
【００６４】
コンテンツＷｅｂサーバ４１は、アクセスされたＵＲＬに基づき、コンテンツデータベース４２から擬似立体コンテンツファイル１００を検索して携帯電話機２０にダウンロードする。さらに、コンテンツＷｅｂサーバ４１は、携帯電話機２０からのＵＲＬによるアクセスである場合には、インターネット２２からＵＲＬリンク情報を取得する。
【００６５】
電子商取引システム５０は、電子商取引Ｗｅｂサーバ５１と、電子商取引データベース５２と、アフィリエイトサーバ５３と、アフィリエイトデータベース５４とを含んで構成されている。なお、図１では、電子商取引システム５０にアフィリエイトサーバ５３およびアフィリエイトデータベース５４が含まれている場合を示しているが、アフィリエイトサーバ５３およびアフィリエイトデータベース５４は、電子商取引システム５０の外部にあってもよい。
【００６６】
電子商取引Ｗｅｂサーバ５１は、携帯電話機２０から擬似立体コンテンツファイル１００のリンクを通じてアクセスされたときに電子商取引Ｗｅｂページを動的に生成して携帯電話機２０に送信する。なお、電子商取引Ｗｅｂサーバ５１自体は、周知のものであり、かつ本発明とは直接関係しないので、詳しい説明は省略する。
【００６７】
電子商取引データベース５２は、電子商取引の記録等を格納する。なお、電子商取引データベース５２自体は、周知のものであり、かつ本発明とは直接関係しないので、詳しい説明は省略する。
【００６８】
アフィリエイトサーバ５３は、アフィリエイト情報をキーとしてアフィリエイトデータベース５４を検索し、ヒットした場合には当該レコードにアフィリエイト情報を追加する。詳しくは、アフィリエイトサーバ５３は、コンテンツサーバシステム４０からダウンロードされた擬似立体コンテンツファイル１００のリンクを経由して携帯電話機２０から電子商取引Ｗｅｂサーバ５１がアクセスされた場合に、アフィリエイトデータベース５４に擬似立体コンテンツファイル１００毎にアフィリエイトアクセス数を１ずつ加算して記録する。また、アフィリエイトサーバ５３は、電子商取引Ｗｅｂページで商品が購買された場合に、アフィリエイトデータベース５４に擬似立体コンテンツファイル１００毎にアフィリエイト購買数を１ずつ加算して記録する。なお、アフィリエイトサーバ５３自体は、周知のものであり、かつ本発明とは直接関係しないので、これ以上の詳しい説明は省略する。
【００６９】
アフィリエイトデータベース５４は、擬似立体コンテンツファイル１００毎に、アフィリエイトアクセス数、アフィリエイト購買数等のアフィリエイト情報を記録する。また、アフィリエイトデータベース５４は、定期的にアフィリエイト情報に基づいて商品毎のアフィリエイト報酬を算出し、出版社１０に支払う。なお、アフィリエイトデータベース５４自体は、周知のものであり、かつ本発明とは直接関係しないので、これ以上の詳しい説明は省略する。
【００７０】
図４は、擬似立体コンテンツファイル１００の画像格納部（図５参照）に格納されているフレーム画像の垂直方向角および水平方向角を説明する図である。図４（ａ）に示すように、垂直方向角（伏角または仰角ともいう）は、商品を水平面上の原点Ｏに置いたときに、商品の撮影時にデジタルカメラ（図示せず）の撮影レンズの光軸が水平面となす角度をいう。ここでは、０°、３０°、６０°の３段階の垂直方向角が設定可能となっている。また、図４（ｂ）に示すように、水平方向角は、商品を水平面上の原点Ｏに置いたときに、商品の撮影時にデジタルカメラ（図示せず）の撮影レンズの光軸が商品の正面に向かう軸となす角度をいう。ここでは、０°、６０°、１２０°、１８０°、２４０°、３００°の６分割の水平方向角が設定可能となっている。
【００７１】
図５は、本実施例１で使用される擬似立体コンテンツファイル１００の一例を示す図である。この擬似立体コンテンツファイル１００は、１８個のフレームからなる画像格納部と、画像操作プログラムを格納するプログラム格納部とから構成されている。より具体的には、擬似立体コンテンツファイル１００は、商品に対する垂直方向角および水平方向角を変化させながら撮影したフレーム画像群を格納する画像格納部と、携帯電話機２０の操作部２１４の数字キー等の入力により表示するフレーム画像を切り替える画像操作プログラムが書き込まれているプログラム格納部とから構成されている。擬似立体コンテンツファイル１００は、例えば、Ｍａｃｒｏｍｅｄｉａ（登録商標）が開発した、音声やベクターグラフィックスのアニメーションを組み合わせてＷｅｂコンテンツを作成するＭａｃｒｏｍｅｄｉａＦｌａｓｈ（登録商標）の携帯電話機２０向けの軽量バージョンであるＦｌａｓｈＬｉｔｅ（登録商標）によってムービークリップとして作成される。ただし、擬似立体コンテンツファイル１００に格納されているデータの形式が、ムービークリップに限られるものではないことはいうまでもない。擬似立体コンテンツファイル１００は、コンテンツサーバシステム４０から携帯電話機２０にダウンロードされて携帯電話機２０上で動作する。
【００７２】
画像格納部には、垂直方向角０°、水平方向角０°から撮影した商品の画像をフレーム番号１のフレーム画像として保存し、垂直方向角０°、水平方向角６０°から撮影した商品の画像をフレーム番号２のフレーム画像として保存し、垂直方向角０°、水平方向角１２０°から撮影した商品の画像をフレーム番号３のフレーム画像として保存し、垂直方向角０°、水平方向角１８０°から撮影した商品の画像をフレーム番号４のフレーム画像として保存し、垂直方向角０°、水平方向角２４０°から撮影した商品の画像をフレーム番号５のフレーム画像として保存し、垂直方向角０°、水平方向角３００°から撮影した商品の画像をフレーム番号６のフレーム画像として保存する。次に、垂直方向角３０°、水平方向角０°から撮影した商品の画像をフレーム番号７のフレーム画像として保存し、垂直方向角３０°、水平方向角６０°から撮影した商品の画像をフレーム番号８のフレーム画像として保存し、垂直方向角３０°、水平方向角１２０°から撮影した商品の画像をフレーム番号９のフレーム画像として保存し、垂直方向角３０°、水平方向角１８０°から撮影した商品の画像をフレーム番号１０のフレーム画像として保存し、垂直方向角３０°、水平方向角２４０°から撮影した商品の画像をフレーム番号１１のフレーム画像として保存し、垂直方向角３０°、水平方向角３００°から撮影した商品の画像をフレーム番号１２のフレーム画像として保存する。続いて、垂直方向角６０°、水平方向角０°から撮影した商品の画像をフレーム番号１３のフレーム画像として保存し、垂直方向角６０°、水平方向角６０°から撮影した商品の画像をフレーム番号１４のフレーム画像として保存し、垂直方向角６０°、水平方向角１２０°から撮影した商品の画像をフレーム番号１５のフレーム画像として保存し、垂直方向角６０°、水平方向角１８０°から撮影した商品の画像をフレーム番号１６のフレーム画像として保存し、垂直方向角６０°、水平方向角２４０°から撮影した商品の画像をフレーム番号１７のフレーム画像として保存し、垂直方向角６０°、水平方向角３００°から撮影した商品の画像をフレーム番号１８のフレーム画像として保存する。
【００７３】
プログラム格納部には、携帯電話機２０の操作部２１４の各キーが入力された場合の画像操作プログラムが格納されている。ただし、図５中には数字キー「１」が入力された場合だけのプログラム部分が記載されている。例えば、数字キー「１」が入力された場合、画像の入っているムービークリップを指定し、垂直方向角の段階数および水平方向角の分割数を設定し、現在表示しているフレーム画像のフレーム番号を変数ｎｕｍに設定し、水平方向のフレームを計算し、現在表示のフレーム画像のフレーム番号を１つ減算し、表示するフレーム画像のフレーム番号を計算し、計算されたフレーム番号のフレーム画像を表示する。
【００７４】
図６は、擬似立体コンテンツファイル１００の画像格納部に格納されている３段階の垂直方向角、６分割の水平方向角のフレーム画像群の一例を示す。なお、図６は、商品がブーツの一例を示す。フレーム画像群は、垂直方向角０°、３０°、６０°と水平方向角０°、６０°、１２０°、１８０°、２４０°、３００°との組み合わせで、全部で１８個のフレーム画像からなる。垂直方向角０°で水平方向角が大きくなる順にフレーム番号（Ｆｎｏ）１〜６が付けられ、垂直方向角３０°で水平方向角が大きくなる順にフレーム番号（Ｆｎｏ）７〜１２が付けられ、垂直方向角６０°で水平方向角が大きくなる順にフレーム番号（Ｆｎｏ）１３〜１８が付けられている。
【００７５】
図７を参照すると、携帯電話機２０における擬似立体コンテンツ表示処理は、ＱＲコード撮像判定ステップＳ１０１と、ＱＲコード・デコード処理Ｓ１０２と、ＵＲＬ画面表示ステップＳ１０３と、コンテンツＷｅｂサーバへの接続判定ステップＳ１０４と、擬似立体コンテンツファイルダウンロードステップＳ１０５と、擬似立体コンテンツファイル表示ステップＳ１０６と、擬似立体回転操作処理Ｓ１０７と、電子商取引Ｗｅｂサーバへの接続判定ステップＳ１０８と、電子商取引Ｗｅｂページ受信ステップＳ１０９と、電子商取引Ｗｅｂページ表示ステップＳ１１０と、商品購買判定ステップＳ１１１と、商品購買操作ステップＳ１１２とを含んでいる。
【００７６】
図８は、図７中の擬似立体回転操作処理Ｓ１０７をさらに詳細に示すフローチャートである。
【００７７】
図９は、図８中の水平画面左回転処理Ｓ２０５をさらに詳細に示すフローチャートである。
【００７８】
図１０は、図８中の水平画面右回転処理Ｓ２１１をさらに詳細に示すフローチャートである。
【００７９】
図１１は、図８中の表示画面切替処理２０６をさらに詳細に示すフローチャートである。
【００８０】
次に、このように構成された実施例１に係る擬似立体コンテンツ表示システムの動作について、実施例１に係る擬似立体コンテンツ表示方法とともに説明する。
【００８１】
出版社１０は、雑誌１１を編集して、商品の記事、広告等を掲載するときには、当該商品を３段階の垂直方向角、６分割の水平方向角から撮影した１８枚の画像をフレーム番号１〜１８のフレーム画像として画像格納部に格納するとともに、画像操作プログラムをプログラム格納部に格納することにより、擬似立体コンテンツファイル１００を作成する。
【００８２】
次に、出版社１０は、擬似立体コンテンツファイル１００をコンテンツサーバシステム４０のコンテンツデータベース４２に登録する。なお、コンテンツデータベース４２に擬似立体コンテンツファイル１００を登録する方法は、アップロード等のどのような方法であってもよい。コンテンツサーバシステム４０は、コンテンツデータベース４２に擬似立体コンテンツファイル１００を登録すると、コンテンツデータベース４２における擬似立体コンテンツファイル１００のインターネット上のリソースアドレスであるＵＲＬを出版社１０に通知する。
【００８３】
また、出版社１０は、擬似立体コンテンツファイル１００に電子商取引Ｗｅｂサーバ５１のＵＲＬを含め、擬似立体コンテンツファイル１００を電子商取引システム５０のアフィリエイトデータベース５４にアフィリエイトとして登録する。なお、出版社１０自体をアフィリエイトとして登録してもよい。
【００８４】
続いて、出版社１０は、擬似立体コンテンツファイル１００のＵＲＬをコード化してＱＲコード１２を作成し、このＱＲコード１２を雑誌１１の誌面に当該商品の記事、広告等と関連づけて印刷して、雑誌１１を販売あるいは配布する。
【００８５】
一方、雑誌１１を閲覧した利用者は、雑誌１１に気に入った商品が掲載されていた場合には、携帯電話機２０の撮像部２１８により、雑誌１１に掲載された商品に関連して印刷されたＱＲコード１２の撮像操作を行う。すなわち、携帯電話機２０の撮像部２１８をＱＲコード１２に対向させた状態で操作部２１４の決定キーを入力する。このとき、撮像部２１８のモードは、接写撮影モードであることが望ましい。
【００８６】
利用者が雑誌１１に掲載されたＱＲコード１２を携帯電話機２０の撮像部２１８により撮像すると、携帯電話機２０のＣＰＵ２２３は、ＱＲコード１２の撮像であると判断し（図７のステップＳ１０１：Ｙｅｓ）、ＱＲコード・デコード処理（図７のステップＳ１０２）を行う。なお、ＱＲコード・デコード処理（図７のステップＳ１０２）については、すでに公知の処理であるので、かつ本発明とは直接関係しないので、詳しい説明を省略する（例えば、特開２００２−１１１９０９等を参照）。
【００８７】
ＱＲコード・デコード処理（図７のステップＳ１０２）が完了すると、ＣＰＵ２２３は、携帯電話機２０の表示部２１６にデコード結果のＵＲＬを表示する（図７のステップＳ１０３）。
【００８８】
利用者は、表示されたＵＲＬにそのままアクセスする場合には、操作部２１４の決定キーを入力する（図７のステップＳ１０４：Ｙｅｓ）。すると、携帯電話機２０のＷｅｂブラウザは、ＵＲＬへの接続要求を送信する。詳しくは、携帯電話機２０は、携帯電話網２１、ゲートウェイサーバ３１、およびインターネット２２を介してコンテンツＷｅｂサーバ４１にアクセスする。
【００８９】
携帯電話機２０からアクセスされると、コンテンツＷｅｂサーバ４１は、ＵＲＬに登録された擬似立体コンテンツファイル１００をコンテンツデータベース４２から検索し、アクセス元の携帯電話機２０にダウンロードする。詳しくは、コンテンツＷｅｂサーバ４１は、インターネット２２、ゲートウェイサーバ３１、および携帯電話網２１を介して擬似立体コンテンツファイル１００を携帯電話機２０にダウンロードする。また、コンテンツＷｅｂサーバ４１は、擬似立体コンテンツファイル１００毎に、ダウンロード回数をカウントし、コンテンツデータベース４２に記録する。
【００９０】
携帯電話機２０のＣＰＵ２２３は、擬似立体コンテンツファイル１００をダウンロードすると（図７のステップＳ１０５）、擬似立体コンテンツファイル１００を表示部２１６に表示する（図７のステップＳ１０６）。なお、初期状態では、擬似立体コンテンツファイル１００のフレーム番号１のフレーム画像が表示部２１６に表示されるようになっている。
【００９１】
利用者がフレーム番号１のフレーム画像よりも詳細に商品の全体像を立体的に見たいときには、擬似立体の回転操作を行う（図７のステップＳ１０７）。
【００９２】
擬似立体回転操作処理（図７のステップＳ１０７）では、操作部２１４の数字キー、決定キー等の入力により擬似立体コンテンツファイル１００のフレーム番号を切り替え、そのフレーム番号のフレーム画像を表示部２１６に表示することにより、商品の全体像を３６０°いろいろな角度から立体的に確認することができる。
【００９３】
詳しくは、まず、ＣＰＵ２２３は、電子商取引サイトリンク確認画面の表示であるかどうかを判定する（図８のステップＳ２０１）。初期状態では、電子商取引サイトリンク確認画面は表示されていないので（図８のステップＳ２０１：Ｎｏ）、ＣＰＵ２２３は、数字キー「１」の入力であるかどうかを判定する（図８のステップＳ２０３）。
【００９４】
数字キー「１」の入力であれば（図８のステップＳ２０３：Ｙｅｓ）、ＣＰＵ２２３は、垂直画面計算用変数ｂに値０を代入し（図８のステップＳ２０４）、水平画面左回転処理を行う（図８のステップＳ２０５）。水平画面左回転処理（図８のステップＳ２０５）では、水平画面計算用変数ａから値１を減算し（図９のステップＳ２０５ａ）、水平画面計算用変数ａが値０になった場合は（図９のステップＳ２０５ｂ：Ｙｅｓ）、水平画面計算用変数ａに値６を代入して（図９のステップＳ２０５ｃ）、リターンする。次に、ＣＰＵ２２３は、表示画面切替処理（図８のステップＳ２０６）を行う。表示画面切替処理（図８のステップＳ２０６）では、水平画面計算用変数ａに垂直画面計算用変数ｂの６倍を加算した値を表示フレーム番号とし（図１１のステップＳ２０６ａ）、表示フレーム番号のフレーム画像を表示部２１６に表示して（図１１のステップＳ２０６ｂ）、リターンすることにより画面切替を行う。この後、ＣＰＵ２２３は、ステップＳ２０１に制御を戻す。
【００９５】
ステップＳ２０３で数字キー「１」の入力でなければ（図８のステップＳ２０３：Ｎｏ）、ＣＰＵ２２３は、数字キー「２」の入力であるかどうかを判定する（図８のステップＳ２０７）。数字キー「２」の入力であれば（図８のステップＳ２０７：Ｙｅｓ）、ＣＰＵ２２３は、垂直画面計算用変数ｂに値０を代入する（図８のステップＳ２０８）。次に、ＣＰＵ２２３は、表示画面切替処理（図８のステップＳ２０６）を行う。この後、ＣＰＵ２２３は、ステップＳ２０１に制御を戻す。
【００９６】
ステップＳ２０７で数字キー「２」の入力でなければ（図８のステップＳ２０７：Ｎｏ）、ＣＰＵ２２３は、数字キー「３」の入力であるかどうかを判定する（図８のステップＳ２０９）。数字キー「３」の入力であれば（図８のステップＳ２０９：Ｙｅｓ）、ＣＰＵ２２３は、垂直画面計算用変数ｂに値０を代入し（図８のステップＳ２１０）、水平画面右回転処理（図８のステップＳ２１１）を行う。水平画面右回転処理（図８のステップＳ２１１）では、水平画面計算用変数ａに値１を加算し（図１０のステップＳ２１１ａ）、水平画面計算用変数ａが値７であるかどうかを判定し（図１０のステップＳ２１１ｂ）、水平画面計算用変数ａが値７であれば、水平画面計算用変数ａに値１を代入し（図１０のステップＳ２１１ｃ）、リターンする。次に、ＣＰＵ２２３は、表示画面切替処理（図８のステップＳ２０６）を行う。この後、ＣＰＵ２２３は、ステップＳ２０１に制御を戻す。
【００９７】
数字キー「３」の入力でなければ（図８のステップＳ２０９：Ｎｏ）、ＣＰＵ２２３は、数字キー「４」の入力であるかどうかを判定する（図８のステップＳ２１２）。数字キー「４」の入力であれば（図８のステップＳ２１２：Ｙｅｓ）、ＣＰＵ２２３は、垂直画面計算用変数ｂに値１を代入し（図８のステップＳ２１３）、水平画面左回転処理（図８のステップＳ２１４）を行う。次に、ＣＰＵ２２３は、表示画面切替処理（図８のステップＳ２０６）を行う。この後、ＣＰＵ２２３は、ステップＳ２０１に制御を戻す。
【００９８】
数字キー「４」の入力でなければ（図８のステップＳ２１２：Ｎｏ）、ＣＰＵ２２３は、数字キー「５」の入力であるかどうかを判定する（図８のステップＳ２１５）。数字キー「５」の入力であれば（図８のステップＳ２１５：Ｙｅｓ）、垂直画面計算用変数ｂに値１を代入し（図８のステップＳ２１６）、表示画面切替処理（図８のステップＳ２０６）を行う。この後、ＣＰＵ２２３は、ステップＳ２０１に制御を戻す。
【００９９】
数字キー「５」の入力でなければ（図８のステップＳ２１５：Ｎｏ）、ＣＰＵ２２３は、数字キー「６」の入力であるかどうかを判定する（図８のステップＳ２１７）。数字キー「６」の入力であれば（図８のステップＳ２１７：Ｙｅｓ）、ＣＰＵ２２３は、垂直画面計算用変数ｂに値１を代入し（図８のステップＳ２１８）、水平画面右回転処理（図８のステップＳ２１９）を行う。次に、ＣＰＵ２２３は、表示画面切替処理（図８のステップＳ２０６）を行う。この後、ＣＰＵ２２３は、ステップＳ２０１に制御を戻す。
【０１００】
数字キー「６」の入力でなければ（図８のステップＳ２１７：Ｎｏ）、ＣＰＵ２２３は、数字キー「７」の入力であるかどうかを判定する（図８のステップＳ２２０）。数字キー「７」の入力であれば（図８のステップＳ２２０：Ｙｅｓ）、ＣＰＵ２２３は、垂直画面計算用変数ｂに値２を代入し（図８のステップＳ２２１）、水平画面左回転処理（図８のステップＳ２２２）を行う。次に、ＣＰＵ２２３は、表示画面切替処理（図８のステップＳ２０６）を行う。この後、ＣＰＵ２２３は、ステップＳ２０１に制御を戻す。
【０１０１】
数字キー「７」の入力でなければ（図８のステップＳ２２０：Ｎｏ）、ＣＰＵ２２３は、数字キー「８」の入力であるかどうかを判定する（図８のステップＳ２２３）。数字キー「８」の入力であれば（図８のステップＳ２２３：Ｙｅｓ）、垂直画面計算用変数ｂに値２を代入し（図８のステップＳ２２４）、表示画面切替処理（図８のステップＳ２０６）を行う。この後、ＣＰＵ２２３は、ステップＳ２０１に制御を戻す。
【０１０２】
数字キー「８」の入力でなければ（図８のステップＳ２２３：Ｎｏ）、ＣＰＵ２２３は、数字キー「９」の入力であるかどうかを判定する（図８のステップＳ２２５）。数字キー「９」の入力であれば、垂直画面計算用変数ｂに値２を代入し（図８のステップＳ２２６）、水平画面右回転処理（図８のステップＳ２２７）を行う。次に、表示画面切替処理（図８のステップＳ２０６）を行う。この後、ＣＰＵ２２３は、ステップＳ２０１に制御を戻す。
【０１０３】
数字キー「９」の入力でなければ（図８のステップＳ２２５：Ｎｏ）、ＣＰＵ２２３は、決定キーの入力であるかどうかを判定する（図８のステップＳ２２８）。決定キーの入力でなければ（図８のステップＳ２２８：Ｎｏ）、直ちにステップＳ２０１に制御を戻す。決定キーの入力であれば（図８のステップＳ２２８：Ｙｅｓ）、電子商取引サイトリンク確認画面を表示し（図８のステップＳ２２９）、ステップＳ２０１に制御を戻す。
【０１０４】
ステップＳ２０１で電子商取引サイトリンク確認画面表示であれば、ＣＰＵ２２３は、数字キー「＃」の入力であるかどうかを判定する（図８のステップＳ２３０）。数字キー「＃」の入力であれば（図８のステップＳ２３０：Ｙｅｓ）、電子商取引システム５０にリンクしてアクセスする（図８のステップＳ２３０）。
【０１０５】
このような擬似立体回転操作処理（図７のステップＳ１０７）による結果、携帯電話機２０によるフレーム画像の見え方としては、数字キー「１」の連続入力でフレーム番号が１→６→５→４→３→２→１→６→…と変化し、垂直方向角０°で左回りに回転する擬似立体画像が表示される。数字キー「２」の連続入力でフレーム番号１〜６の水平方向角が同じ番号になるので、垂直方向角０°で回転しない擬似立体画像が表示される。数字キー「３」の連続入力でフレーム番号が１→２→３→４→５→６→１→２→…と変化し、垂直方向角０°で右回りで回転する擬似立体画像が表示される。数字キー「４」の連続入力でフレーム番号が７→１２→１１→１０→９→８→７→１２→…と変化し、垂直方向角３０°で左回りに回転する擬似立体画像が表示される。数字キー「５」の連続入力でフレーム番号７〜１２の水平方向角が同じ番号になるので、垂直方向角３０°で回転しない擬似立体画像が表示される。数字キー「６」の連続入力でフレーム番号が７→８→９→１０→１１→１２→７→８→…と変化し、垂直方向角３０°で右回りで回転する擬似立体画像が表示される。数字キー「７」の連続入力でフレーム番号が１３→１８→１７→１６→１５→１４→１３→１８→…と変化し、垂直方向角６０°で左回りに回転する擬似立体画像が表示される。数字キー「８」の連続入力でフレーム番号１３〜１８の水平方向角が同じ番号になるので、垂直方向角６０°で回転しない擬似立体画像が表示される。数字キー「９」の連続入力でフレーム番号が１３→１４→１５→１６→１７→１８→１３→１４→…と変化し、垂直方向角６０°で右回りに回転する擬似立体画像が表示される。
【０１０６】
さらに言えば、図２に示す携帯電話機２０の操作部２１４における左列の数字キー「１」、「４」、「７」の連続入力で左回りに回転する擬似立体画像が表示され、中列の数字キー「２」、「５」、「８」の連続入力で回転しない擬似立体画像が表示され、右列の数字キー「３」、「６」、「９」の連続入力で右回りに回転する擬似立体画像が表示される。このため、利用者の直感的な操作で擬似立体画像の回転を操作することができる。
【０１０７】
ステップＳ２３０で携帯電話機２０から電子商取引システム５０にアクセスされると、電子商取引Ｗｅｂサーバ５１は、電子商取引Ｗｅｂページを動的に生成して携帯電話機２０に送信する。このとき、アフィリエイトサーバ５３は、コンテンツサーバシステム４０からダウンロードされた擬似立体コンテンツファイル１００のリンクを経由して携帯電話機２０から電子商取引Ｗｅｂサーバ５１がアクセスされたので、アフィリエイトデータベース５４に擬似立体コンテンツファイル１００毎にアフィリエイトアクセス数を１ずつ加算して記録する。
【０１０８】
利用者が携帯電話機２０で受信された電子商取引Ｗｅｂページを通じて商品を購入すると、電子商取引Ｗｅｂサーバ５１は、電子商取引の記録等を電子商取引データベース５２に格納する。このとき、アフィリエイトサーバ５３は、電子商取引Ｗｅｂページで商品が購買されたので、アフィリエイトデータベース５４に擬似立体コンテンツファイル１００毎にアフィリエイト購買数を１ずつ加算して記録する。
【０１０９】
アフィリエイトサーバ５３は、擬似立体コンテンツファイル１００毎にアフィリエイトアクセス数、アフィリエイト購買数等のアフィリエイト情報をアフィリエイトデータベース５４に記録しているので、定期的にアフィリエイト情報に基づいて擬似立体コンテンツファイル１００毎のアフィリエイト報酬を算出し、出版社１０に支払う。
【０１１０】
実施例１によれば、雑誌１１に擬似立体コンテンツファイル１００のＵＲＬをコード化したＱＲコード１２を印刷し、雑誌１１で商品を見た利用者が撮像部２１８を備える携帯電話機２０によりＱＲコード１２を撮像したときには、ＱＲコード１２にコード化されたＵＲＬをデコードし、デコードされたＵＲＬに基づいてコンテンツサーバシステム４０にアクセスして擬似立体コンテンツファイル１００をダウンロードすることができるので、利用者にとっては、商品に関する擬似立体コンテンツファイル１００を携帯電話機２０で容易に見ることができる。
【０１１１】
また、携帯電話機２０にダウンロードされた擬似立体コンテンツファイル１００のダウンロード数に基づいて、出版社１０は、雑誌１１における商品の掲載効果を計測することができる。
【０１１２】
さらに、擬似立体コンテンツファイル１００毎にアフィリエイトアクセス数、アフィリエイト購買数等のアフィリエイト情報がアフィリエイトデータベース５４に記録されるので、出版社１０は、アフィリエイトデータベース５４のアフィリエイト情報に基づいて商品毎のアフィリエイト報酬を得ることができる。
【０１１３】
なお、携帯電話機２０に一旦ダウンロードされた擬似立体コンテンツファイル１００は、携帯電話機２０に順に登録されるようになっており、利用者は、操作部２１４のキー操作により任意の擬似立体コンテンツファイル１００を検索して擬似立体コンテンツファイル１００に含まれる特定のフレーム画像を表示部２１６に表示することができる。このため、利用者は、何時でも繰り返し商品の全体像を立体的に見ることができる。
【実施例２】
【０１１４】
図１２は、本発明の実施例２に係る擬似立体コンテンツ表示システムの構成を示すブロック図である。本実施例２に係る擬似立体コンテンツ表示システムは、商品の擬似立体コンテンツを表示するものではなく、オブジェクトとしての被写体の擬似立体コンテンツ自体を販売するものである。このため、図１に示した実施例１に係る擬似立体コンテンツ表示システムに対して、電子商取引システム５０が不要になっている一方、携帯電話網管理システム３０にコンテンツ利用データベース３４が追加されている。したがって、図１に示した実施例１に係る擬似立体コンテンツ表示システムにおける部分と対応する部分には同一符号を付して、それらの詳しい説明を割愛する。
【０１１５】
コンテンツ利用データベース３４には、コンテンツサーバシステム４０のコンテンツデータベース４２に登録された擬似立体コンテンツファイル２００毎に、出版社１０からコンテンツ利用料金が設定されており、擬似立体コンテンツファイル２００がコンテンツサーバシステム４０から携帯電話機２０にダウンロードされる毎に、契約者データベース３３に記録された携帯電話機２０の通話記録等にコンテンツ利用料金が加算されるようになっている。なお、コンテンツ利用データベース３４自体は、公知のものであり、かつ本発明とは直接関係しないので、その詳しい説明を省略する。
【０１１６】
出版社１０は、擬似立体コンテンツファイル２００をコンテンツサーバシステム４０のコンテンツデータベース４２に登録する。コンテンツサーバシステム４０は、コンテンツデータベース４２に擬似立体コンテンツファイル２００を登録すると、コンテンツデータベース４２における擬似立体コンテンツファイル２００のインターネット上のリソースアドレスであるＵＲＬを出版社１０に通知する。
【０１１７】
図１３は、本実施例２で使用される擬似立体コンテンツファイル２００の一例を示す図である。この擬似立体コンテンツファイル２００は、１８個のフレームからなる画像格納部と、画像操作プログラムを格納するプログラム格納部とから構成されている。より具体的には、擬似立体コンテンツファイル２００は、被写体に対する垂直方向角および水平方向角を変化させながら撮影したフレーム画像群を格納する画像格納部と、数字キー等の入力により表示するフレーム画像を切り替える画像操作プログラムが書き込まれているプログラム格納部とから構成されている。擬似立体コンテンツファイル２００は、実施例１で使用される擬似立体コンテンツファイル１００と同様に、例えば、Ｆｌａｓｈ  Ｌｉｔｅ（登録商標）によってムービークリップとして作成されている。
【０１１８】
画像格納部には、垂直方向角０°、水平方向角０°から撮影した被写体の画像をフレーム番号１のフレーム画像として保存し、垂直方向角０°、水平方向角６０°から撮影した被写体の画像をフレーム番号２のフレーム画像として保存し、垂直方向角０°、水平方向角１２０°から撮影した被写体の画像をフレーム番号３のフレーム画像として保存し、垂直方向角０°、水平方向角１８０°から撮影した被写体の画像をフレーム番号４のフレーム画像として保存し、垂直方向角０°、水平方向角２４０°から撮影した被写体の画像をフレーム番号５のフレーム画像として保存し、垂直方向角０°、水平方向角３００°から撮影した被写体の画像をフレーム番号６のフレーム画像として保存する。次に、垂直方向角０°、水平方向角０°から撮影した被写体の一部を拡大した画像をフレーム番号７のフレーム画像として保存し、垂直方向角０°、水平方向角６０°から撮影した被写体の一部を拡大した画像をフレーム番号８のフレーム画像として保存し、垂直方向角０°、水平方向角１２０°から撮影した被写体の一部を拡大した画像をフレーム番号９のフレーム画像として保存し、垂直方向角０°、水平方向角１８０°から撮影した被写体の一部を拡大した画像をフレーム番号１０のフレーム画像として保存し、垂直方向角０°、水平方向角２４０°から撮影した被写体の一部を拡大した画像をフレーム番号１１のフレーム画像として保存し、垂直方向角０°、水平方向角３００°から撮影した被写体の一部を拡大した画像をフレーム番号１２のフレーム画像として保存する。続いて、垂直方向角０°、水平方向角０°から撮影した被写体の一部をさらに拡大した画像をフレーム番号１３のフレーム画像として保存し、垂直方向角０°、水平方向角６０°から撮影した被写体の一部をさらに拡大した画像をフレーム番号１４のフレーム画像として保存し、垂直方向角０°、水平方向角１２０°から撮影した被写体の一部をさらに拡大した画像をフレーム番号１５のフレーム画像として保存し、垂直方向角０°、水平方向角１８０°から撮影した被写体の一部をさらに拡大した画像をフレーム番号１６のフレーム画像として保存し、垂直方向角０°、水平方向角２４０°から撮影した被写体の一部をさらに拡大した画像をフレーム番号１７のフレーム画像として保存し、垂直方向角０°水平方向角３００°から撮影した被写体の一部をさらに拡大した画像をフレーム番号１８のフレーム画像として保存する。ただし、本実施例１におけるフレーム画像は、その前面レイヤーに不透明なマスク画面が形成されており、フレーム番号７以上のフレーム画像のマスク画面を不透明にするために、擬似立体コンテンツファイル２００毎の被照合用パスワード（図示せず）およびパスワードを取得するための指定メールアドレス（図示せず）が設定されている。
【０１１９】
擬似立体コンテンツファイル２００のプログラム格納部には、携帯電話機２０の操作部２１８の全てのキーが入力された場合の画像操作プログラムが格納されている。ただし、図１３中には、数字キー「１」が入力された場合だけのプログラム部分を示す画像操作プログラムが記載されている。詳しくは、数字キー「１」が入力された場合、画像の入っているムービークリップを指定し、垂直方向角の段階数および水平方向角の分割数を設定し、現在表示しているフレーム画像のフレーム番号を変数ｎｕｍに設定し、水平方向のフレームを計算し、現在表示のフレーム画像のフレーム番号を１つ減算し、表示するフレーム画像のフレーム番号を計算し、計算されたフレーム番号のフレーム画像を表示する。
【０１２０】
図１４は、擬似立体コンテンツファイル２００の画像格納部に格納されている１段階の垂直方向角、６分割の水平方向角からの被写体の全身像、上半身像、および顔近接像のフレーム画像群の一例を示す。図１４は、被写体が、女性である一例を示す。ただし、被写体は、商品、人物、動物、建物等のどのようなものであってもよい。フレーム画像群は、垂直方向角０°と、水平方向角０°、６０°、１２０°、１８０°、２４０°、３００°と、全身像、上半身像、および顔拡大像との組み合わせで、全部で１８個のフレーム画像からなる。垂直方向角０°の全身像で水平方向角０°、６０°、１２０°、１８０°、２４０°、３００°が大きくなる順にフレーム番号（Ｆｎｏ）１〜６が付けられ、垂直方向角０°の上半身像で水平方向角０°、６０°、１２０°、１８０°、２４０°、３００°が大きくなる順にフレーム番号（Ｆｎｏ）７〜１２が付けられ、垂直方向角０°の顔近接像で水平方向角０°、６０°、１２０°、１８０°、２４０°、３００°が大きくなる順にフレーム番号（Ｆｎｏ）１３〜１８が付けられている。なお、フレーム画像群の各フレーム画像の前面レイヤーには不透明のマスク画面が配置されており、マスク画面を透明化する被照合用パスワードが設定されている。例えば、フレーム番号１〜６のフレーム画像はパスワードに入力なしに表示される通常画像となっているが、フレーム番号７以降のフレーム画像はパスワードを入力しないと表示されないプレミアム画像となっている。マスク画面が表示された状態で数字キー「＊」（本発明の特定キーに相当する）を入力すると、携帯電話機２０のメーラー（メール作成プログラム）が立ち上がり、擬似立体コンテンツファイル２００に組み込まれている指定メールアドレスが設定された空メールを簡単に送れる状態になる。利用者が空メールをコンテンツＷｅｂサーバ４１に送信すると、コンテンツＷｅｂサーバ４１がパスワードを記載したメールを自動的に返信する。このパスワードを入力すると、フレーム番号７以降のフレーム画像を閲覧できるようになる。この機能により、出版社１０は、コンテンツサーバシステム４０を介して利用者のメールアドレスを獲得することができ、メールマガジンの配信等により利用者の囲い込みを行うことができる。
【０１２１】
図１５（ａ）、（ｂ）、（ｃ）は、マスク画面が表示されたときの携帯電話機２０の表示部２１６の画面遷移を示す図である。
【０１２２】
図１６は、実施例２に係る擬似立体表示方法の概要を示すフローチャートである。
【０１２３】
図１７は、実施例２に係る擬似立体表示方法における表示画面切替処理を示すフローチャートである。実施例１に係る擬似立体表示方法における表示画面切替処理Ｓ２０６（図１１参照）に相当するものである。
【０１２４】
図１８および図１９は、実施例２に係る擬似立体表示方法におけるパスワード判定処理１を示すフローチャートである。
【０１２５】
図２０は、図１９中のパスワード判定処理２を示すフローチャートである。
【０１２６】
次に、このように構成された実施例２に係る擬似立体コンテンツ表示システムの動作について、実施例２に係る擬似立体コンテンツ表示方法とともに説明する。
【０１２７】
出版社１０は、コンテンツサーバシステム４０のコンテンツデータベース４２に擬似立体コンテンツファイル２００を登録する。このとき、コンテンツサーバシステム４０は、出版社１０に対して擬似立体コンテンツファイル２００のＵＲＬを通知するので、出版社１０は、擬似立体コンテンツファイル２００のＵＲＬをコード化したＱＲコード１２を雑誌１１に印刷する。
【０１２８】
雑誌１１で被写体の写真を見たり、被写体の記事を読んだりした利用者が、被写体の全体像を立体的に見たい場合には、携帯電話機２０の撮像部２１８により雑誌１１に被写体に関連して印刷されているＱＲコード１２を撮像し（図１６のステップＳ１０１：Ｙｅｓ）、そのＱＲコード１２にコード化されているＵＲＬをデコードし（図１６のステップＳ１０２）、デコードされたＵＲＬを携帯電話機２０の表示部２１６に表示する（図１６のステップＳ１０３）。
【０１２９】
次に、利用者は、そのＵＲＬに基づいてコンテンツサーバシステム４０にアクセスする（図１６のステップＳ１０４：Ｙｅｓ）。コンテンツサーバシステム４０では、利用者が携帯電話機２０でアクセスしてきたときは出版社１０がコンテンツデータベース４２に登録した被写体の擬似立体コンテンツファイル２００を、コンテンツＷｅｂサーバ４１が送信元の携帯電話機２０にダウンロードする（図１６のステップＳ１０６）。これにより、携帯電話機２０は、表示部２１６に擬似立体コンテンツファイル２００を表示することができる。
【０１３０】
一方、携帯電話網管理システム３０は、利用者が携帯電話機２０に擬似立体コンテンツファイル２００をダウンロードしたときに、コンテンツ利用記録をコンテンツ利用データベース３４に記録し、契約者データベース３３に記録された携帯電話機２０の通話記録等にコンテンツ利用料金が加算される。携帯電話網管理システム３０は、出版社１０と契約したタイミングで、コンテンツ利用データベース３４に記憶されている擬似立体コンテンツファイル２００のダウンロード情報に基づいて、利用者からコンテンツ利用料金を通信費と併せて徴収する。キャリアは、例えば毎月、契約者データベース３３の内容に基づき、出版社１０が設定しているコンテンツ利用料金をキャリアの通信費と一緒に集金する。そして、集金額から手数料を引いて該当するコンテンツ利用料金を出版社１０に支払う。従って、出版社１０は、コンテンツ利用料金を徴収する手間や煩雑さを回避することができる。
【０１３１】
表示画面切替処理（図８のステップＳ２０６）では、ＣＰＵ２２３は、水平画面計算用変数ａに垂直画面計算用変数ｂの６倍を加算した値を表示フレーム番号に代入し（図１７のステップＳ４０１）、表示フレーム番号が７以上であるかどうかを判定する（図１７のステップＳ４０２）。表示フレーム番号が７以上でなければ、ＣＰＵ２２３は、マスク画面を非表示とし（図１７のステップＳ４０３）、表示フレーム番号のフレーム画面を表示するように画面を切り替える（図１７のステップＳ４０７）。ステップＳ４０２で表示フレーム番号が７以上であれば、ＣＰＵ２２３は、マスク画面表示フラグがセットされているかどうかを判定し（図１７のステップＳ４０４）、マスク画面表示フラグがセットされていなければ、マスク画面を非表示とし（図１７のステップＳ４０５）、表示フレーム番号のフレーム画面を表示するように画面を切り替える（図１７のステップＳ４０７）。ステップＳ４０４でマスク画面表示フラグがセットされていれば、ＣＰＵ２２３は、マスク画面を表示する（図１７のステップＳ４０６）。この結果、７以上の表示フレーム番号のフレーム画像が表示されるが、前面のマスク画面が透明でないので、被写体のフレーム画像を見ることができない。このとき、マスク画面には、図１５（ａ）に示すように、「パスワードを入力ください」、「パスワードが判らない場合は”＃”キーを入力して空メールを送信してください。パスワードを返信いたします。」というメッセージが表示される。次に、パスワード判定処理１を実行する（図１７のステップＳ４０７）。パスワード判定処理１の終了後、表示フレーム番号のフレーム画像に画面を切り替えて（図１７のステップＳ４０８）、リターンする。
【０１３２】
パスワード判定処理１では、ＣＰＵ２２３は、被照合用パスワードを変数ｐａｓｓに設定し（図１８のステップＳ３０２）、被照合用パスワードの桁数（本実施例２では６桁）をパスワード判定用変数ｐａｓｃｏｕｎｔに設定する（図１８のステップＳ３０３）。
【０１３３】
次に、ＣＰＵ２２３は、数字キー「＃」が入力されたかどうかを判定し（図１８のステップＳ３０４）、数字キー「＃」が入力されたときには、パスワード判定用変数ｃｏｕｎｔ１を０クリアし（図１８のステップＳ３０５）、変数ｎｕｍを０クリアし（図１８のステップＳ３０６）、ステップＳ３３０に制御を移す。
【０１３４】
数字キー「＃」が入力されていなければ（図１８のステップＳ３０４：Ｎｏ）、ＣＰＵ２２３は、数字キー「１」が入力されたかどうかを判定し（図１８のステップＳ３０７）、数字キー「１」が入力されたときには、変数ｎｕｍに値１を設定し（図１８のステップＳ３０８）、パスワード判定処理２を行う（図１８のステップＳ３２７）。
【０１３５】
パスワード判定処理２（図２０）では、ＣＰＵ２２３は、パスワード判定用変数ｐａｓｃｏｕｎｔとパスワード判定用変数ｃｏｕｎｔ１との差が値６であるかどうかを判定し（図２０のステップＳ３４１）、差が値６であれば、変数ｐａｓｎｕｍに変数ｎｕｍと１０００００との積を加算し（図２０のステップＳ３４２）、パスワード判定用変数ｃｏｕｎｔ１に値１を加算し（図２０のステップＳ３４３）、ステップＳ３５９に制御を移す。
【０１３６】
ステップＳ３４１でパスワード判定用変数ｐａｓｃｏｕｎｔとパスワード判定用変数ｃｏｕｎｔ１との差が値６でなければ、ＣＰＵ２２３は、パスワード判定用変数ｐａｓｃｏｕｎｔとパスワード判定用変数ｃｏｕｎｔ１との差が値５であるかどうかを判定し（図２０のステップＳ３４４）、差が値５であれば、変数ｐａｓｎｕｍに変数ｎｕｍと１００００との積を加算し（図２０のステップＳ３４５）、パスワード判定用変数ｃｏｕｎｔ１に値１を加算し（図２０のステップＳ３４６）、ステップＳ３５９に制御を移す。
【０１３７】
ステップＳ３４４でパスワード判定用変数ｐａｓｃｏｕｎｔとパスワード判定用変数ｃｏｕｎｔ１との差が値５でなければ、ＣＰＵ２２３は、パスワード判定用変数ｐａｓｃｏｕｎｔとパスワード判定用変数ｃｏｕｎｔ１との差が値４であるかどうかを判定し（図２０のステップＳ３４７）、差が値４であれば、変数ｐａｓｎｕｍに変数ｎｕｍと１０００との積を加算し（図２０のステップＳ３４８）、パスワード判定用変数ｃｏｕｎｔ１に値１を加算し（図２０のステップＳ３４９）、ステップＳ３５９に制御を移す。
【０１３８】
ステップＳ３４７でパスワード判定用変数ｐａｓｃｏｕｎｔとパスワード判定用変数ｃｏｕｎｔ１との差が値４でなければ、ＣＰＵ２２３は、パスワード判定用変数ｐａｓｃｏｕｎｔとパスワード判定用変数ｃｏｕｎｔ１との差が値３であるかどうかを判定し（図２０のステップＳ３５０）、差が値３であれば、変数ｐａｓｎｕｍに変数ｎｕｍと１００との積を加算し（図２０のステップＳ３５１）、パスワード判定用変数ｃｏｕｎｔ１に値１を加算し（図２０のステップＳ３５２）、ステップＳ３５９に制御を移す。
【０１３９】
ステップＳ３５０でパスワード判定用変数ｐａｓｃｏｕｎｔとパスワード判定用変数ｃｏｕｎｔ１との差が値３でなければ、ＣＰＵ２２３は、パスワード判定用変数ｐａｓｃｏｕｎｔとパスワード判定用変数ｃｏｕｎｔ１との差が値２であるかどうかを判定し（図２０のステップＳ３５３）、差が値２であれば、変数ｐａｓｎｕｍに変数ｎｕｍと１０との積を加算し（図２０のステップＳ３５４）、パスワード判定用変数ｃｏｕｎｔ１に値１を加算し（図２０のステップＳ３５５）、ステップＳ３５９に制御を移す。
【０１４０】
ステップＳ３５３でパスワード判定用変数ｐａｓｃｏｕｎｔとパスワード判定用変数ｃｏｕｎｔ１との差が値２でなければ、ＣＰＵ２２３は、パスワード判定用変数ｐａｓｃｏｕｎｔとパスワード判定用変数ｃｏｕｎｔ１との差が値１であるかどうかを判定し（図２０のステップＳ３５６）、差が値１であれば、変数ｐａｓｎｕｍに変数ｎｕｍを加算し（図２０のステップＳ３５７）、パスワード判定用変数ｃｏｕｎｔ１に値１を加算し（図２０のステップＳ３５８）、ステップＳ３５９に制御を移す。
【０１４１】
ステップＳ３５６でパスワード判定用変数ｐａｓｃｏｕｎｔとパスワード判定用変数ｃｏｕｎｔ１との差が値１でなければ、ＣＰＵ２２３は、パスワード判定用変数ｃｏｕｎｔ１がパスワード判定用変数ｐａｓｃｏｕｎｔに等しいかどうかを判定し（図２０のステップＳ３５９）、パスワード判定用変数ｃｏｕｎｔ１がパスワード判定用変数ｐａｓｃｏｕｎｔに等しくなければ、リターンする。パスワード判定用変数ｃｏｕｎｔ１がパスワード判定用変数ｐａｓｃｏｕｎｔに等しければ、変数ｐａｓｎｕｍが変数ｐａｓｓに等しいかどうかを判定し（図２０のステップＳ３６０）、変数ｐａｓｎｕｍが変数ｐａｓｓに等しくなければ、リターンする。変数ｐａｓｎｕｍが変数ｐａｓｓに等しければ、マスク画面表示フラグをリセットして（図２０のステップＳ３６１）、リターンする。
【０１４２】
図１８のステップＳ３０７で数字キー「１」が入力されていなければ、ＣＰＵ２２３は、数字キー「２」が入力されたかどうかを判定し（図１８のステップＳ３０９）、数字キー「２」が入力されたときには、変数ｎｕｍに値２を設定し（図１８のステップＳ３１０）、パスワード判定処理２を行う（図１８のステップＳ３２７）。パスワード判定処理２を終了すると、ＣＰＵ２２３は、ステップＳ３３０に制御を移す。
【０１４３】
ステップＳ３０９で数字キー「２」が入力されていなければ、ＣＰＵ２２３は、数字キー「３」が入力されたかどうかを判定し（図１８のステップＳ３１１）、数字キー「３」が入力されたときには、変数ｎｕｍに値３を設定し（図１８のステップＳ３１２）、パスワード判定処理２を行う（図１８のステップＳ３２７）。パスワード判定処理２を終了すると、ＣＰＵ２２３は、ステップＳ３３０に制御を移す。
【０１４４】
ステップＳ３１１で数字キー「３」が入力されていなければ、ＣＰＵ２２３は、数字キー「４」が入力されたかどうかを判定し（図１８のステップＳ３１３）、数字キー「４」が入力されたときには、変数ｎｕｍに値４を設定し（図１８のステップＳ３１４）、パスワード判定処理２を行う（図１８のステップＳ３２７）。パスワード判定処理２を終了すると、ＣＰＵ２２３は、ステップＳ３３０に制御を移す。
【０１４５】
ステップＳ３１３で数字キー「４」が入力されていなければ、ＣＰＵ２２３は、数字キー「５」が入力されたかどうかを判定し（図１９のステップＳ３１５）、数字キー「５」が入力されたときには、変数ｎｕｍに値５を設定し（図１９のステップＳ３１６）、パスワード判定処理２を行う（図１９のステップＳ３２７）。パスワード判定処理２を終了すると、ＣＰＵ２２３は、ステップＳ３３０に制御を移す。
【０１４６】
ステップＳ３１５で数字キー「５」が入力されていなければ、ＣＰＵ２２３は、数字キー「６」が入力されたかどうかを判定し（図１９のステップＳ３１７）、数字キー「６」が入力されたときには、変数ｎｕｍに値６を設定し（図１９のステップＳ３１８）、パスワード判定処理２を行う（図１９のステップＳ３２７）。パスワード判定処理２を終了すると、ＣＰＵ２２３は、ステップＳ３３０に制御を移す。
【０１４７】
ステップＳ３１７で数字キー「６」が入力されていなければ、ＣＰＵ２２３は、数字キー「７」が入力されたかどうかを判定し（図１９のステップＳ３１９）、数字キー「７」が入力されたときには、変数ｎｕｍに値７を設定し（図１９のステップＳ３２０）、パスワード判定処理２を行う（図１９のステップＳ３２７）。パスワード判定処理２を終了すると、ＣＰＵ２２３は、ステップＳ３３０に制御を移す。
【０１４８】
ステップＳ３１９で数字キー「７」が入力されていなければ、ＣＰＵ２２３は、数字キー「８」が入力されたかどうかを判定し（図１９のステップＳ３２１）、数字キー「８」が入力されたときには、変数ｎｕｍに値８を設定し（図１９のステップＳ３２２）、パスワード判定処理２を行う（図１９のステップＳ３２７）。パスワード判定処理２を終了すると、ＣＰＵ２２３は、ステップＳ３３０に制御を移す。
【０１４９】
ステップＳ３２１で数字キー「８」が入力されていなければ、ＣＰＵ２２３は、数字キー「９」が入力されたかどうかを判定し（図１９のステップＳ３２３）、数字キー「９」が入力されたときには、変数ｎｕｍに値９を設定し（図１９のステップＳ３２４）、パスワード判定処理２を行う（図１９のステップＳ３２７）。パスワード判定処理２を終了すると、ＣＰＵ２２３は、ステップＳ３３０に制御を移す。
【０１５０】
ステップＳ３２３で数字キー「９」が入力されていなければ、ＣＰＵ２２３は、数字キー「０」が入力されたかどうかを判定し（図１９のステップＳ３２５）、数字キー「０」が入力されたときには、変数ｎｕｍに値０を設定し（図１９のステップＳ３２６）、パスワード判定処理２を行う（図１９のステップＳ３２７）。パスワード判定処理２を終了すると、ＣＰＵ２２３は、ステップＳ３３０に制御を移す。
【０１５１】
ステップＳ３２５で数字キー「０」が入力されていなければ、ＣＰＵ２２３は、数字キー「＊」（本発明の特定キーに相当する）が入力されたかどうかを判定し（図１９のステップＳ３２８）、数字キー「＊」が入力されたときには、メーラーを起動する（図１９のステップＳ３２９）。詳しくは、図１５（a）に例示するマスク画面が表示された状態で、数字キー「＊」を入力すると、携帯電話機２０のメーラーが立ち上がり、図１５（ｂ）に例示するように、擬似立体コンテンツファイル２００に組み込まれている指定メールアドレスが設定された空メールを簡単に送れる状態になる。次に、ＣＰＵ２２３は、ステップＳ３３０に制御を移す。
【０１５２】
図１８のステップＳ３３０では、ＣＰＵ２２３は、メーラーが起動中であるかどうかを判定し、メーラーが起動中でなければ、ステップＳ３０４に制御を戻す。図１５（ａ）に示すようにメーラーが起動中であれば（図１８のステップＳ３３０：Ｙｅｓ）、送信キー（決定キー）が入力されたかどうかを判定し（図１８のステップＳ３３１）、送信キーが入力されたときには、図１５（ｂ）に示すような擬似立体コンテンツファイル２００に組み込まれている指定メールアドレスが設定された空メールをコンテンツＷｅｂサーバ４１に送信し（図１８のステップＳ３３２）、ステップＳ３０４に制御を移す。利用者が空メールをコンテンツＷｅｂサーバ４１に送信すると、コンテンツＷｅｂサーバ４１は、図１５（ｃ）に示すようなパスワードを記載したメールを自動的に返信する。このパスワードを携帯電話機２０の操作部２１４から入力すると、パスワード判定処理２でマスク画面表示フラグがリセットされて（図２０のステップＳ３６１）、フレーム番号７以降のフレーム画像を閲覧できるようになる。送信キーが入力されていなければ（図１８のステップＳ３３１：Ｎｏ）、電源キーが入力されたかどうかを判定し（図１８のステップＳ３３３）、電源キーが入力されていなければ、ステップＳ３３１に制御を戻す。電源キーが入力されていれば（図１８のステップＳ３３３：Ｙｅｓ）、メーラーを停止し（図１８のステップＳ３３４）、ステップＳ３０４に制御を移す
【０１５３】
マスク画面が透明化されたフレーム画像群を利用すると、数字キー「１」の連続入力で左回りに標準画像が回転し、数字キー「２」の連続入力で標準画像が回転せず、数字キー「３」の連続入力で右回りにて標準画像が回転し、数字キー「４」の連続入力で左回りに第１拡大画像が回転し、数字キー「５」の連続入力で第１拡大画像が回転せず、数字キー「６」の連続入力で右回りにて第１拡大画像が回転し、数字キー「７」の連続入力で左回りに第２拡大画像が回転し、数字キー「８」の連続入力で第２拡大画像が回転せず、数字キー「９」の連続入力で右回りにて第２拡大画像が回転する、というように水平方向に画像を回転させて部分的な拡大画像を見るという使い方ができる。
【０１５４】
なお、携帯電話機２０に一旦ダウンロードされた擬似立体コンテンツファイル２００は、携帯電話機２０に順に登録されるようになっており、利用者は、操作部２１４のキー操作により任意の擬似立体コンテンツファイル２００を検索してパスワードを入力することにより擬似立体コンテンツファイル２００に含まれる特定のフレーム画像を表示部２１６に表示することができる。このため、利用者は、何時でも繰り返し被写体の全体像を立体的に見ることができる。
【０１５５】
実施例２によれば、雑誌１１に擬似立体コンテンツファイル２００のＵＲＬをコード化したＱＲコード１２を印刷し、雑誌１１で被写体を見た利用者が撮像部２１８を備える携帯電話機２０によりＱＲコード１２を撮像したときは、ＱＲコード１２からデコードされたＵＲＬに基づいてコンテンツサーバシステム４０にアクセスすることにより、擬似立体コンテンツファイル２００を携帯電話機２０にダウンロードすることができる。これにより、利用者にとっては、被写体に関する擬似立体コンテンツファイル２００を携帯電話機２０で容易に見ることができる。
【０１５６】
また、擬似立体コンテンツファイル２００は標準画像、その拡大画像、さらにその拡大画像の集まりであるので、簡単に拡大したり、縮小したりすることができ、利用者は被写体の細部を容易に確認することができる。
【０１５７】
さらに、出版社１０は、擬似立体コンテンツファイル２００のダウンロードに基づいて利用者からキャリアを経由してコンテンツ利用料金を徴収して収益を上げることができる。また、携帯電話機２０にダウンロードされた擬似立体コンテンツファイル２００のダウンロード数に基づいて、出版社１０は、雑誌１１における被写体の貢献を評価することができる。
【０１５８】
さらにまた、マスク画面を使用して被写体のフレーム画像群の一部または全部を隠すとともに、利用者がパスワードを入力することによりマスク画面を透明化して被写体のフレーム画像群の一部または全部を見ることができるようにしたので、被写体についてもっと見たい、もっと知りたいという利用者の意欲を刺激し、擬似立体コンテンツファイル２００のダウンロード数（購買数）を向上させることができる。
【０１５９】
なお、フレーム画像群の各フレーム画像の前面レイヤーに不透明のマスク画面が配置され、マスク画面が表示された状態で数字キー「＊」を入力すると、メーラーが立ち上がり、擬似立体コンテンツファイル２００に組み込まれている指定メールアドレスが設定された空メールを送信できる状態になり、空メールが送信されると、コンテンツＷｅｂサーバ４１がパスワードを記載したメールを自動的に返信するようにしたので、擬似立体コンテンツファイル２００のダウンロード自体は無料とし、パスワードの入手を有料として、コンテンツＷｅｂサーバ４１側で利用者への課金を制御することもできる。
【０１６０】
以上、本発明の各実施例を説明したが、これらはあくまでも例示にすぎず、本発明はこれらに限定されるものではなく、特許請求の範囲の趣旨を逸脱しない限りにおいて、当業者の知識に基づく種々の変更が可能である。
【０１６１】
例えば、上記各実施例では、２次元バーコードとしてＱＲコードを使用したが、ＱＲコード１２以外の２次元バーコードを使用することもできる。
【０１６２】
また、上記各実施例１では、インターネット上のリソースアドレスとしてＵＲＬを使用したが、ＵＲＬ以外のインターネット上のリソースアドレスを使用することもできる。
【産業上の利用可能性】
【０１６３】
本発明は、携帯電話機でオブジェクトの全体像を立体的に表示する場合に広く利用することができる。
【符号の説明】
【０１６４】
１０  雑誌
２０  携帯電話機
２１  携帯電話網
２２  インターネット
３０  携帯電話網管理システム
３１  ゲートウェイサーバ
３２  契約者管理サーバ
３３  契約者データベース
３４  コンテンツ利用データベース
４０  コンテンツサーバシステム
４１  コンテンツＷｅｂサーバ
４２  コンテンツデータベース
５０  電子商取引システム
５１  電子商取引Ｗｅｂサーバ
５２  電子商取引データベース
５３  アフィリエイトサーバ
５４  アフィリエイトデータベース
１００，２００  擬似立体コンテンツファイル
【図１】
2011022798.tif 000003
【図２】
2011022798.tif 000004
【図３】
2011022798.tif 000005
【図４】
2011022798.tif 000006
【図５】
2011022798.tif 000007
【図６】
2011022798.tif 000008
【図７】
2011022798.tif 000009
【図８】
2011022798.tif 000010
【図９】
2011022798.tif 000011
【図１０】
2011022798.tif 000012
【図１１】
2011022798.tif 000013
【図１２】
2011022798.tif 000014
【図１３】
2011022798.tif 000015
【図１４】
2011022798.tif 000016
【図１５】
2011022798.tif 000017
【図１６】
2011022798.tif 000018
【図１７】
2011022798.tif 000019
【図１８】
2011022798.tif 000020
【図１９】
2011022798.tif 000021
【図２０】
2011022798.tif 000022